(57)【要約】【課題】二重接点機能をもたらすことによって、ばね接点端子が変形に影響されないようにできる電気コネクタを提供すること。【解決手段】電気コネクタが、その中に配置された少なくとも１つの二重接点機能のばね接点端子を有する電気導体の本体を備える。各二重接点機能のばね接点端子は、電気導体の本体の第１のノーズのところから始まるアームによって特徴づけられ、アームが１８０°屈曲して先端のアーム部分を形成する。第１のばねが、先端のアーム部分に接続され、アームの接触部分に接続する。第２のノーズが接触部分に接続され、そこでアームは１８０°屈曲する。第２のばねが、第２のノーズに接続され、第２のばねは電気導体の本体に、好ましくはリリーフばねのところで当接するアーム端部を支える。第１のばねと第２のばねが互いに個別に接触部分の弾性的な配置をもたらすために独立に機能する。【選択図】図１
2007005295.tif 000002
【特許請求の範囲】
【請求項１】
上部壁、および対向して配置された下部壁を有する電気コネクタ本体を備える電気コネクタ本体であって、端子キャビティが前記上部壁と下部壁の間に画成され、前記電気コネクタ本体が前記端子キャビティと連通する入口ポートを有する電気コネクタ本体と、
前記電気コネクタ本体に接続され、前記端子キャビティに配置された、少なくとも１つの二重接点機能のばね接点端子であって、各二重接点機能のばね接点端子が、前記上部壁および下部壁のうちの一方と接続されたアームを備え、前記アームが前記入口ポートに配置された第１のノーズのところから始まり、前記第１のノーズが前記アームに実質的に１８０°の屈曲を有し、前記アームが、前記第１のノーズに接続された先端のアーム部分、前記第１のアーム部分に接続された第１のばね、前記第１のばねに接続された接触部分、および前記第１のばねに対して反対側の配置で前記接触部分に接続された第２のノーズを備え、前記第２のノーズが、前記アームの実質的に１８０°の屈曲、および前記第２のノーズに接続された第２のばねを備え、前記第２のばねは、前記上部壁および下部壁のうちの前記一方と当接するアーム端部で終端し、
前記第１および第２のばねが互いに独立に前記アームの前記接触部分の弾性的な配置をもたらす電気コネクタ。
【請求項２】
前記上部壁および下部壁のうちの前記一方に形成されたリリーフばねをさらに備え、前記アーム端部が前記リリーフばねに当接する、請求項１に記載のコネクタ。
【請求項３】
第１のスロットが前記第１のばねの中央に配置された、請求項１の記載のコネクタ。
【請求項４】
前記少なくとも１つの二重接点機能のばね接点端子が１つの前記二重接点機能のばね接点端子を備え、前記電気コネクタ本体が、前記電気コネクタ本体と接続された端子接点をさらに備え、前記端子接点が、前記二重接点機能のばね接点端子の前記アームの前記接触部分に対して対向して配置された関係で前記端子キャビティに配置された、請求項１に記載のコネクタ。
【請求項５】
前記端子接点が前記上部壁および下部壁の他方に接続された第２のアームを備え、前記第２のアームが前記入口ポートに配置された第２のノーズのところから始まり、前記第２のノーズが前記第２のアーム内に実質的に１８０°の屈曲を有する、請求項４に記載のコネクタ。
【請求項６】
前記上部壁および下部壁の前記一方に形成されたリリーフばねをさらに備え、前記アーム端部が前記リリーフばねに当接する、請求項５に記載のコネクタ。
【請求項７】
第１のスロットが前記第１のばねの中央に配置される、請求項６に記載のコネクタ。
【請求項８】
前記少なくとも１つの二重接点機能のばね接点端子が、前記上部壁に接続された上部の二重接点機能のばね接点端子、および前記下部壁に接続された下部の二重接点機能のばね接点端子を備える、請求項１に記載のコネクタ。
【請求項９】
前記上部壁に形成された上部リリーフばねであって、前記上部の二重接点機能のばね接点端子の上部アーム端部が、前記上部リリーフばねに当接する上部リリーフばねと、
前記下部壁に形成された下部リリーフばねであって、前記下部の二重接点機能のばね接点端子の下部アーム端部が、前記下部リリーフばねに当接する下部リリーフばねとをさらに備える、請求項８に記載のコネクタ。
【請求項１０】
上部の第１のスロットが、前記上部の二重接点機能のばね接点端子の前記第１のばねの中央に配置され、下部の第１のスロットが、前記下部の二重接点機能のばね接点端子の前記第１のばねの中央に配置された、請求項９に記載のコネクタ。
【請求項１１】
電気コネクタ本体と接続されたアームを備え、前記アームが第１のノーズのところから始まり、前記第１のノーズが、前記アームに実質的に１８０°の屈曲を有する、前記電気コネクタ本体用の二重接点機能のばね接点端子であって、
前記アームが、
前記第１のノーズに接続された先端のアーム部分と、
前記第１のアーム部分に接続された第１のばねと、
前記第１のばねに接続された接触部分と、
前記第１のばねに対して反対の配置で前記接触部分に接続された第２のノーズであって、前記第２のノーズが前記アームに実質的に１８０°の屈曲を有する第２のノーズと、
前記第２のノーズに接続された第２のばねであって、前記電気コネクタ本体に当接するアーム端部のところに終端する第２のばねとを備え、
前記第１および第２のばねが、互いに独立に前記アームの前記接触部分の弾性的な配置をもたらす、二重接点機能のばね接点端子。
【請求項１２】
第１のスロットが前記第１のばねの中央に配置された、請求項１１に記載の端子。
【発明の詳細な説明】
【技術分野】
【０００１】
本発明は、電気コネクタに関し、より詳細には、雄型ブレード（ｍａｌｅ  ｂｌａｄｅ）端子に電気接続するためのばね接点を有する雌型コネクタに関する。さらに詳細には、本発明は二重接点機能のばね接点を有する電気コネクタに関する。
【背景技術】
【０００２】
電気技術では、第１および第２の電気コネクタを相互に接続し、各コネクタをそれぞれ第１と第２の電気回路に接続することによって、選択的に分離可能な電気接続を第１と第２の電気回路の間にもたらすのが通例となっている。これに関連して特に興味深いのは、オス型接合（ｍａｔｉｎｇ）ブレードコネクタが電気コネクタに挿入された場合に、そのブレードコネクタに係合する、内側に配置された弾性のばね接点端子を有する箱型電気コネクタ（ｂｏｘ−ｓｈａｐｅｄ  ｅｌｅｃｔｒｉｃａｌ  ｃｏｎｎｅｃｔｏｒｓ）である。そのような電気コネクタの興味深い例が、米国特許第５，２８１，１７５号に詳述されている。
【０００３】
ばね接点端子を有する電気コネクタは、挿入された雄型ブレード端子に対して電気的接触をもたらすために優れた働きをするが、いくつかの欠陥がある。例えば、（例えば雄型ブレード端子それ自体が屈曲していて、それが差しこまれ押しつけられると変形を起こさせることにより）ばね接点端子が変形すると、ばね接点端子と雄型ブレード端子の間の電気的接触が損なわれる可能性がある。
【特許文献１】米国特許第５，２８１，１７５号
【発明の開示】
【発明が解決しようとする課題】
【０００４】
したがって、ばね端子の接点に何らかの方法で二重接点機能をもたらすことによって、ばね接点端子が変形に影響されないようにできる電気コネクタが考案できれば最も望ましいであろう。
【課題を解決するための手段】
【０００５】
本発明は、その内側に配置されたばね接点端子を有する電気コネクタであり、そのコネクタは、二重接点機能を備えることによって変形に影響されない。
【０００６】
本発明による改善された電気コネクタは、上部壁、下部壁、および一対の側壁によって画成された全体的に箱型の端子キャビティを有する電気導体の本体を含み、少なくとも１つの二重接点機能のばね接点端子が内側に配置される。
【０００７】
二重接点機能のばね接点端子は、電気導体の本体の入口ポートにおいて、上部壁または下部壁と一体に形成された第１のノーズのところから始まる。第１のノーズでは、アームが導体の本体と一体に形成され、そのアームは端子キャビティ内に配置され、また主体の上部壁または下部壁と平行な関係で第１のノーズから後方に、主体の上部壁または下部壁から間隔を置いた関係で延出する先端の（ｉｎｉｔｉａｌ）アーム部分を形成するように１８０°屈曲する。アームの接触部分は、端子キャビティ内でアームの第１のばねを介しておおよそ中間に配置され、その第１のばねは、アームの先端の部分と接触部分の前方端部との間にわたって存在する。反対側の、アームの接触部分の後方端部のところには、アームから形成され、その中に１８０°の屈曲をもたらすようになっている第２のノーズがある。アームの第２のばねが第２のノーズに接続され、そのアームは、主体の上部壁または下部壁に向かって屈曲し、その端部のところで主体の上部壁または下部壁に接触する。アームの接触部分に対向して、電気導体の本体から形成された端子接点が配置される（あるいは別の実施形態では、これは、単に別の二重接点機能のばね接点端子のアームの接触部分であることができる）。
【０００８】
動作の際には、雄型ブレード端子が電気コネクタの電気導体の本体に挿入され、雄型ブレード端子が挿入されるので、その端子が第１のばねおよび対向する端子接点に当接し、第１のばねが主体の上部壁または下部壁に向かって弾性的に屈曲するようになる。雄型ブレード端子を引き続き挿入していくと、雄型ブレード端子は、アームの接触部分および対向する端子接点に沿ってさらに摺動し、第２のばねが同様に、主体の上部壁または下部壁に向かって弾性的に屈曲するようになる。雄型ブレード端子が完全に挿入されると、雄型ブレード端子が、第１および第２のばねの二重ばね動作により、アームの接触部分および端子接点と良好に電気接触する。
【０００９】
第１のばねおよび第２のばねは、互いに独立に動作する。したがって、第１のばねが損傷した場合、例えば、雄型ブレード端子が第１のばねを不適当に屈曲させると、挿入された雄型ブレード端子の優れた電気接点をアームの接触部分および対向する端子接点にもたらすように、第２のばねが正常に（ｎｏｒｍａｌｌｙ）、第１のばねと独立に機能する。
【００１０】
様々な厚さの雄型ブレード端子の通りをより良くする（ｐｒｏｖｉｄｅ  ｂｅｔｔｅｒ  ｆａｃｉｌｉｔａｔｉｏｎ）ために、主体の上部壁または下部壁に形成されるリリーフばねを備えることが好ましく、その場合、アームの端部が主体の上部壁または下部壁に当接する。これに関連して、所定の厚さより厚い雄型ブレード端子が導体の本体のキャビティに挿入されると、増加した第２のばねの張力がリリーフばねの弾性的な屈曲によって軽減される。
【００１１】
別の、（上記に手短に示した）本発明の好ましい形式では、一対の二重接点機能のばね接点端子が提供される。上部の二重接点機能のばね接点端子が上部の第１のノーズを介して上部のアームから形成され、下部の二重接点機能のばね接点端子が下部の第１のノーズを介して下部アームから形成され、上部および下部アームは、互いに対称になっている。
【００１２】
したがって、本発明の目的は、その中に配置された少なくとも１つの二重接点機能のばね接点端子を有する電気コネクタを提供することであり、その第１および第２のばねは、互いに独立に機能する。
【発明を実施するための最良の形態】
【００１３】
本発明のこの、およびさらなる目的、特徴および利点は、以下の好ましい実施形態の詳述からより明白になるであろう。
【００１４】
次に図面を参照すると、本発明による少なくとも１つの二重機能の接点ばね端子１０２、１０２’、１０２’’をその中に配置して有する電気コネクタ１００、１００’の、図１から６が第１の実施形態の態様を示し、図７から１０が第２の実施形態の態様を示す。
【００１５】
次に図１から６に示される第１の実施形態を参照すると、電気コネクタ１００が、前方端部１０４ａおよび後方端部１０４ｂを有する電気導体の本体１０４を提供するために打ち抜き加工され、（必ずしもそうである必要はないが）好ましくは一片の金属シート、ならびに後方端部に一体に接続され、裸線圧着部分１０６ａおよび電線被覆圧着部分１０６ｂを備える配線係合部材１０６から構成される。電気導体の本体１０４が当分野で公知の方法でプラスチックまたはその他の適切な絶縁体１０８に内包され、その一部分が図３に例として示される。
【００１６】
電気導体の本体１０４は全体的な箱型を有し、上部壁１１２、反対側に配置された下部壁１１４、および一対の相互に対向する側壁１１６、１１８によって画成される端子キャビティ１１０をその中に形成し、上部および下部の二重接点機能のばね接触端子１０２、１０２’が内側に配置される。
【００１７】
上部の二重接点機能のばね接点端子１０２は、電気導体の本体１０４の入口ポート１２２のところで上部壁１１２と一体に形成された、上部の第１のノーズ１２０のところから始まる上部アーム１２４から構成される。上部の第１のノーズ１２０のところで、上部アーム１２４は電気導体の本体１０４と一体に形成され、その電気導体の本体は先端の上部アーム部分１２６を形成するように１８０°屈曲し、そのアーム部分は、端子キャビティ１１０内に配置され、上部壁と平行な関係で上部の第１のノーズから後方に、上部壁１１２に近接して配置された関係で延出する。
【００１８】
上部アーム１２４の上部接触部分１２８は、上部アームの、上部の第１のばね１３０を介して端子キャビティ１１０内でおおよそ中間に配置され、その上部アームは、先端の上部アーム部分１２６と、上部アームの上部接触部分１２８の前方端部との間にわたって存在する。上部の第１のばね１３０の弾力性は、中央に配置され、そこで上部アームに形成された上部の第１のばねスロット１３２を好ましく提供することによって向上させることができる。
【００１９】
反対側の、上部アーム１２４の、上部接触部分１２８の後方端部には、上部アームから形成され、そこに１８０°の屈曲をもたらすようになっている上部の第２のノーズ１３４がある。上部の第２のノーズ１３４から上部アームの、上部の第２のばね１３６が延出し、そのばねは、上部壁１１２に向かって屈曲し、上部アームの上部アーム端部１２４ａのところでその上部壁に接触する。上部の第２のばね１３６の弾力性は、所望であれば、中央に配置された上部の第２のばねスロットを提供することによって、またはそこで上部アームの幅を広げ、もしくは狭めることによって、特定の用途に適合するようになされることが可能である。
【００２０】
（下記にさらに論じられるように）様々な厚さの雄型ブレード端子の通りをより良くするために、上部壁１１２に形成される上部リリーフばね１４０を備えることが好ましく、その場合、上部アーム端部１２４ａが上部壁に当接する。これに関連して、所定の厚さより厚い雄型ブレード端子が導体の本体のキャビティに挿入されると、増加した第２のばねの張力が上部リリーフばねの弾性的な屈曲によって軽減される。
【００２１】
下部の二重接点機能のばね接点端子１０２’は、電気導体の本体１０４の入口ポート１２２のところで下部壁１１４と一体に形成された、下部の第１のノーズ１２０’のところから始まる下部アーム１２４’から構成される。下部の第１のノーズ１２０’のところで、下部アーム１２４’は導体の本体１０４と一体に形成され、導体の本体は先端の下部アーム部分１２６’を形成するように１８０°屈曲し、そのアーム部分は、端子キャビティ１１０内に配置され、下部壁と平行な関係で下部の第１のノーズから後方に、下部壁１１４に近接して配置された関係で延出する。
【００２２】
下部アーム１２４’の下部接触部分１２８’は、下部アームの、下部の第１のばね１３０’を介して端子キャビティ１１０内でおおよそ中間に配置され、その下部アームは、先端の下部アーム部分１２６’と下部アームの下部接触部分１２８’の前方端部との間にわたって存在する。上部および下部接触部分１２８、１２８’は、相互に対向する関係で配置される。下部の第１のばね１３０’の弾力性は、そこで下部アームに形成された、中央に配置された下部の第１のばねスロット１３２’を好ましく提供することによって向上させることが可能である。
【００２３】
反対側の、下部アーム１２４’の下部接触部分１２８’の後方端部には、下部アームから形成され、そこに１８０°の屈曲をもたらすようになっている下部の第２のノーズ１３４’がある。下部の第２のノーズ１３４’から下部アームの、下部の第２のばね１３６’が延出し、そのばねは、下部壁１１４に向かって屈曲し、下部アームの下部アーム端部１２４ａ’のところでその下部壁に接触する。下部の第２のばね１３６’の弾力性は、所望であれば、中央に配置された下部の第２のばねスロットを提供することによって、またはそこで下部アームの幅を広げ、もしくは狭めることによって、特定の用途に適合するようになされることが可能である。
【００２４】
（下記にさらに論じられるように）様々な厚さの雄型ブレード端子の通りをより良くするために、下部壁１１４に形成された下部リリーフばね１４０’を備えることが好ましく、その場合、下部アーム端部１２４ａ’が下部壁に当接する。これに関連して、所定の厚さより厚い雄型ブレード端子が導体の本体のキャビティに挿入されると、増加した第２のばねの張力が下部リリーフばねの弾性的な屈曲によって軽減される。
【００２５】
次にさらに図４から６を参照すると、電気コネクタ１００の様々な動作上の態様が検討される。
【００２６】
最初に図４を参照すると、雄型ブレード端子２００が電気コネクタの電気導体の本体１０４に挿入され、雄型ブレード端子が挿入されると、その端子が上部および下部の第１のばね１３０および１３０’に当接し、それによって上部の第１のばねが上部壁１１０に向かって弾性的に屈曲し、下部の第１のばねが下部壁１１４に向かって弾性的に屈曲することになる。引き続き挿入していくと、雄型ブレード端子が上部アーム１２４の上部接触部分１２８、および下部アーム１２４’の下部接触部分１２８’に沿って摺動し、上部の第２のばね１３６が上部壁１１２に向かって弾性的に屈曲し、下部の第２のばね１３６’が下部壁１１４に向かって弾力的に屈曲する。図４に示されるように、雄型ブレード端子が完全に挿入されると、上部および下部の第１のばね、ならびに上部および下部の第２のばねの独立の二重ばね動作により、雄型ブレード端子は、上部および下部接触部分と良好に電気接触し、その接触部分は、雄型ブレード端子に密着し、その結果、電気導体の本体１０４と良好に電気接触する。これに関連して、上部の二重接点機能のばね接点端子１０２の、上部の第１のばね１３０および上部の第２のばね１３６は、上部アーム１２４の上部接触部分１２８を弾力的に配置するために互いに独立に動作し、同様に、下部の二重接点機能のばね接点端子１０２’の、下部の第１のばね１３０’および下部の第２のばね１３６’は、下部アーム１２４’の下部接触部分１２８’を弾性的に配置するために互いに独立に動作する。
【００２７】
様々な厚さの雄型ブレード端子の通りをより良くするために、上部および下部リリーフばね１４０および１４０’は、所定の厚さより大きい雄型ブレード端子が電気コネクタに挿入された場合、上部および下部の第２のばね１３６および１３６’を過剰に押すのを防ぐために変形する。例えば、図４の雄型ブレード端子２００が０．６４ｍｍの所定の雄型ブレードの厚さを有するとする。しかし今度は、図５に示されるように、０．８０ｍｍの厚さを有する雄型ブレード端子２００’が導体の本体のキャビティに挿入されると、増加した上部および下部の第２のばねの張力は、上部および下部リリーフばね１４０、１４０’の弾性的な屈曲によって軽減される。
【００２８】
それに関して、上部の第１のばね１３０、および下部の第１のばね１３０’のうちの一方が損傷した場合、または両方が損傷した場合、その対応するまだ損傷していない上部の第２のばね１３６、または下部の第２のばね１３６’は、挿入された雄型ブレード端子の良好な電気接触を上部および下部の二重接点機能のばね接点端子１０２、１０２’に、またその結果、電気導体の本体１０４に引き続きもたらすように、正常に、損傷した上部または下部の第１ばねと独立に機能する。図６に例として示されるように、下部の二重接点機能のばね接点端子１０２’の第１のばね１３０’が、ある不適当な事柄によって屈曲して損傷しても、下部の第２のばね１３６’が、雄型ブレード端子２００の良好な電気接触を上部および下部接触部分１２８、１２８’に、またその結果、電気導体の本体１０４にもたらすように、独立に正常に機能する。
【００２９】
次に、図７から１０に示された第２の実施形態を参照すると、電気コネクタ１００’が、前方端部１０４ａ’および後方端部１０４ｂ’を有し、電気導体の本体１０４’を提供するために打ち抜き加工される好ましくは（必ずしもそうである必要はないが）一片の金属シート、ならびに後方端部に一体に接続され、図７から１０に示されないが図１に１０６として示されるものと同一であり、上述した裸線圧着部分１０６ａおよび配線被覆圧着部分１０６ｂを備える配線係合部材から構成される。電気導体の本体１０４’が（図３に例として示される）当分野で公知の方法でプラスチックまたはその他の適切な絶縁体に内包される。
【００３０】
電気導体の本体１０４’は、全体的に箱形を有し、上部壁１１２’、対向して配置された下部壁１１４’、および一対の相互に対向する側壁１１６’、１１８’によって画成された端子キャビティ１１０’をその中に形成し、上部壁１１２’と一体の単一の二重接点機能のばね接点端子１０２’’が内側に配置される。端子接点１５０が、下部壁１１４’に一体接続で、二重接点機能のばね接点端子１０２’’に対して対向した配置で端子キャビティ１００’に形成される。図７から１０に示される二重接点機能のばね接点端子１０２’’は、それに対して下部壁１１４’も（上記に論じられる下部の二重接点機能のばね接点端子１０２’に類似して）同様に使用可能であるので、単に例として上部壁１１２’に接続されることを理解されたい。
【００３１】
二重接点機能のばね接点端子１０２’’は、電気導体の本体１０４’の入口ポート１２２’のところで上部壁１１２’と一体に形成された、第１のノーズ１２０’’のところから始まるアーム１２４’’から構成される。第１のノーズ１２０’’のところで、アーム１２４’’は導体の本体１０４’と一体に形成され、その導体の本体は先端のアーム部分１２６’’を形成するように１８０°屈曲し、そのアーム部分は、端子キャビティ１１０’内に配置され、上部壁に平行な関係で第１のノーズから後方に、上部壁１１２’に近接して配置された関係で延出する。
【００３２】
アーム１２４’’の接触部分１２８’’は、アームの第１のばね１３０’’を介して端子キャビティ１１０’内でおおよそ中間に配置され、そのアームは、先端のアーム部分１２６’’とアームの接触部分１２８’’の前方端部との間にわたって存在する。第１のばね１３０’’の弾力性は、そこでアーム内に形成された、好ましく提供された中央に配置された第１のばねスロット１３２’’によって向上させることができる。
【００３３】
反対側の、アーム１２４’’の接触部分１２８’’の後方端部には、アームから形成され、そこに１８０°の屈曲をもたらすようになっている第２のノーズ１３４’’がある。第２のノーズ１３４’’からアームの第２のばね１３６’’が延出し、そのばねは上部壁１１２’に向かって屈曲し、アームのアーム端部１２４ａ’’のところでその上部壁に接触する。第２のばね１３６’’の弾力性は、所望であれば、中央に配置された上部の第２のばねスロットを提供することによって、またはそこでアームの幅を広げ、もしくは狭めることによって、特定の用途に適合するようになされることが可能である。
【００３４】
（下記にさらに論じられるように）様々な厚さの雄型ブレード端子の通りをより良くするために、上部壁１１２’に形成されるリリーフばね１４０’’を備えることが好ましく、その場合、アーム端部１２４’’が上部壁に当接する。これに関連して、所定の厚さより厚い雄型ブレード端子が導体の本体のキャビティに挿入された場合、増加した第２のばねの張力がリリーフばね１４０’’の弾性的な屈曲によって軽減される。
【００３５】
端子接点１５０が二重機能ばね端子に対向してコネクタキャビティ内に配置される。端子接点１５０は、電気導体の本体１０４’の入口ポート１２２’のところで下部壁１１４’’と一体に形成され、そこから後方に延出する第２のノーズ１２０’’’のところから始まる第２のアーム１５０ａから構成される。端子接点１５０は、接触部分１２８’’に対して対向して配置される。
【００３６】
次に、電気導体１００’の動作の様々な態様が論じられる。
【００３７】
図８に示されるように、雄型ブレード端子２００が電気コネクタの電気導体の本体１０４’に挿入され、雄型ブレード端子が挿入されると、その端子は第１のばね１３０’’および対向して配置された端子接点１５０に当接し、それによって第１のばねが上部壁に向けて弾性的に屈曲する。雄型ブレード端子を引き続き挿入していくと、雄型ブレード端子がアーム１２４’’の接触部分１２８’’、および端子接点１５０に沿って摺動し、第２のばね１３６’’が上部壁１１２’’に向かって弾性的に屈曲する。図８に示されるように、雄型ブレード端子が完全に挿入されると、第１のばね１３０’’、および第２のばね１３６’’の独立の二重ばね動作により、雄型ブレード端子に接触部分１２８’’（その接触部分は、雄型ブレード端子に密着する）および端子接点１５０に良好な電気接触がもたらされ、その結果、電気導体の本体１０４’に良好な電気接触がもたらされる。これに関連して、第１のばね１３０’’および第２のばね１３６’’がアーム１２４’’の接触部分１２８’’を弾性的に配置するように互いに独立に動作する。
【００３８】
様々な厚さの雄型ブレード端子の通りをより良くするために、リリーフばね１４０’’は、所定の厚さより厚い雄型ブレード端子が電気コネクタに挿入された場合、第２のばねを過剰に押すのを防ぐために変形する。図９は、図７の雄型ブレード端子２００が０．６４ｍｍの所定の厚さを有する例を示す。しかし今度は、０．８０ｍｍの厚さを有する雄型ブレード端子２００’が導体の本体のキャビティに挿入されると、増加した第２のばねの張力は、リリーフばね１４０’’の弾性的な屈曲によって軽減される。
【００３９】
例えば図１０に示されるように屈曲することによって、第１のばね１３０’’が損傷した場合、損傷していない第２のばね１３６’’は、挿入された雄型ブレード端子２００の優良な電気接触を接触部分１２８’’および端子接点１５０に、またその結果、電気コネクタの本体１０４’にもたらすように、正常に、損傷した第１ばねと独立に機能する。
【００４０】
好ましい実施形態１００、１００’の前述の例示の説明に対して、本発明に多くの利点が関連することが理解されるであろう。それには以下の、
各二重接点機能のばね接点端子の第１および第２のばねが、互いに独立にアームの接触部分の弾性的な配置をもたらすこと、
様々な厚さの雄型ブレード端子を受け入れ可能であり、それによって、異なる寸法の雄型ブレード端子に対して異なる寸法の電気コネクタが必要でなくなること、
二重接点機能のばね接点端子の構成は、位置関係のずれた雄型ブレード端子の受け入れに対して堅牢性があり、誤差による影響を受けず、潤滑剤の必要を無くすこと、
二重接点機能のばね接点端子のばね剛性は、所望の係合および法線力の特性を達成するように、同じ基本的な形状を使用して容易に変更することができること、
電気コネクタは、任意の数の二重接点機能のばね接点端子を使用して作製することができること、
端子接点は、雄型ブレード端子の表面の移動に合致して追従し、それらの間の電気接触は振動に影響されないこと、が含まれる。
【００４１】
二重接点機能のばね接点端子の過剰な圧力は、リリーフばねの動作により防止できる。これに関連して、リリーフばねは、雄型ブレード端子の厚さの範囲にわたって、法線力に対して実質的な恒常性をもたらす。法線力は、雄型ブレード端子の挿入過程中に増加し、したがって低い係合力が生じ、その上なお高い法線力が与えられる。これに関連して、法線力は、第２のばねおよび第２のノーズによって主に与えられる。シミュレーション試験において、第２のばねが負荷のほとんどを支えるので、第１のばねの破損によって法線力が損なわれることにはならない。例として、電気コネクタ１００を使用すると、厚さ０．６４ｍｍの雄型ブレード端子が２．３５Ｎの最大係合力、および７．０Ｎの最大法線（接触）力を有することができるのに対して、厚さ０．８０ｍｍの雄型ブレード端子が３．４５Ｎの最大係合力、および８．４Ｎの最大法線（接触）力を有することができる。この例では、厚さが異なることによって、約１．４ニュートンの法線力の違いを生じることが分かる。
【００４２】
二重接点機能のばね接点端子は、対称または非対称の雄型ブレード端子と共に利用することができる（非対称のものは小さい寸法の二重接点機能のばね接点端子を提供する可能性が高い。）二重接点機能のばね接点端子は、第１のノーズに対し適合しない雄型ブレード端子に関して、および挿入された雄型ブレード端子に対するその接触部分の適合性の点で堅牢性がある。
【００４３】
本発明が関連する当分野の技術者には、上記に説明した好ましい実施形態に変形または変更を行うことができる。そのような変形または変更は、添付の特許請求の範囲によってのみ限定されることが意図される本発明の範囲から逸脱せずに実施することができる。
【図面の簡単な説明】
【００４４】
【図１】その中に配置された本発明による一対の二重接点機能のばね接点端子を有する電気コネクタの本体の斜視図である。
【図２】図１の電気コネクタの前端面図である。
【図３】図２の線３−３に沿って見た、図１の電気コネクタの断面図である。
【図４】今度は、挿入された雄型ブレード端子に対する動作で見た、図３の電気コネクタの断面図である。
【図５】今度は、所定の厚さよりも厚い雄型ブレード端子が挿入された、図４と同様の動作での電気コネクタの断面図である。
【図６】今度は、下部の二重機能のばね接点端子の第１のばねが損傷した、図４と同様の動作での電気コネクタの断面図である。
【図７】１つの二重機能のばね端子を備える、本発明による電気コネクタの別の実施形態の断面図である。
【図８】今度は、挿入された雄型ブレード端子に対する動作で見た、図７と同様の電気コネクタの断面図である。
【図９】今度は、所定の厚さよりも厚い雄型ブレード端子が挿入された、図７と同様の動作での電気コネクタの断面図である。
【図１０】今度は、二重機能のばね接点端子の第１のばねが損傷した、図７と同様の動作での電気コネクタの断面図である。
【符号の説明】
【００４５】
１００、１００’  電気コネクタ
１０２  上部のばね接点端子
１０２’  下部のばね接点端子
１０２’’  ばね接点端子
１０４、１０４’  電気導体の本体
１０４ａ  前方端部
１０４ｂ  後方端部
１０６  配線係合部材
１０６ａ  裸線圧着部分
１０６ｂ  電線被覆圧着部分
１０８  絶縁体
１１０、１１０’  端子キャビティ
１１２、１１２’  上部壁
１１４、１１４’  下部壁
１１６、１１６’  側壁
１１８、１１８’  側壁
１２０  上部の第１のノーズ
１２０’  下部の第１のノーズ
１２０’’  第１のノーズ
１２０’’’  第２のノーズ
１２２、１２２’  入口ポート
１２４  上部アーム
１２４’  下部アーム
１２４’’  アーム
１２４ａ  上部アームの上部アーム端部
１２４ａ’  下部アームの下部アーム端部
１２４ａ’’  アームのアーム端部
１２６  先端の上部アーム部分
１２６’  先端の下部アーム部分
１２６’’  先端のアーム部分
１２８  上部アームの上部接触部分
１２８’  下部アームの下部接触部分
１２８’’  接触部分
１３０  上部の第１のばね
１３０’  下部の第１のばね
１３０’’  第１のばね
１３２  上部の第１のばねスロット
１３２’  下部の第１のばねスロット
１３２’’  第１のばねスロット
１３４  上部の第２のノーズ
１３４’  下部の第２のノーズ
１３４’’  第２のノーズ
１３６  上部の第２のばね
１３６’  下部の第２のばね
１３６’’  アームの第２のばね
１４０  上部リリーフばね
１４０’  下部リリーフばね
１４０’’  リリーフばね
１５０  端子接点
１５０ａ  第２のアーム
２００、２００’  雄型ブレード端子
【図１】
2007005295.tif 000003
【図２】
2007005295.tif 000004
【図３】
2007005295.tif 000005
【図４】
2007005295.tif 000006
【図５】
2007005295.tif 000007
【図６】
2007005295.tif 000008
【図７】
2007005295.tif 000009
【図８】
2007005295.tif 000010
【図９】
2007005295.tif 000011
【図１０】
2007005295.tif 000012